(57)【要約】【課題】相互に連結された複数の電池ブロックを備える電池モジュールの軽量化および低価格化を図る。【解決手段】第１電池ブロック１１０ａと第２電池ブロック１１０ｂとがブロック一体化機構により連結されている。ブロック一体化機構は、第１電池ブロック１１０ａの前部側エンドプレート２１０ａの連結部２１１ｂ、２１１ｄと第２電池ブロック１１０ｂの前部側エンドプレート２１０ｂの連結部２１１ａ、２１１ｃとを、直接、または仲介部材を介在して重合した状態で連結する第１一体化機構と、第１電池ブロック１１０ａの後部側エンドプレート２２０ａの連結部２２１ｂ、２２１ｄと第２電池ブロック１１０ｂの後部側エンドプレート２２０ｂの連結部２２１ａ、２２１ｃとを、直接、または仲介部材を介在して重合した状態で連結する第２一体化機構とを含む。【選択図】図１３
2016081725.tif 000002
【特許請求の範囲】
【請求項１】
第１電池ブロックと、
第２電池ブロックと、
前記第１電池ブロックと前記第２電池ブロックとを連結するブロック一体化機構とを備え、
前記第１電池ブロックおよび前記第２電池ブロックは、それぞれ、
電極端子を有し、前記電極端子が形成された面がほぼ平面状に配列された複数の角形電池セルと、
前記角形電池セルの配列方向の最前部に配置され、本体部に一体成形された第１連結部を有する前部側エンドプレートと、
前記角形電池セルの配列方向の最後部に配置され、本体部に一体成形された第２連結部を有する後部側エンドプレートと、を備え、
前記ブロック一体化機構は、前記第１電池ブロックの前記前部側エンドプレートの前記第１連結部と前記第２電池ブロックの前記前部側エンドプレートの前記第１連結部とを、直接、または仲介部材を介在して重合した状態で連結する第１一体化機構と、前記第１電池ブロックの前記後部側エンドプレートの前記第２連結部と前記第２電池ブロックの前記後部側エンドプレートの前記第２連結部とを、直接、または仲介部材を介在して重合した状態で連結する第２一体化機構とを含む、電池モジュール。
【請求項２】
請求項１に記載の電池モジュールにおいて、
前記第１一体化機構は、前記第１電池ブロックの前記前部側エンドプレートの前記第１連結部と前記第２電池ブロックの前記前部側エンドプレートの前記第１連結部のいずれか一方に形成された第１貫通孔と、他方に形成された第１雌ねじ部と、前記第１貫通孔に挿通され、前記第１雌ねじ部に螺合される締結部材とを含み、
前記第２一体化機構は、前記第１電池ブロックの前記後部側エンドプレートの前記第２連結部と前記第２電池ブロックの前記後部側エンドプレートの前記第２連結部のいずれか一方に形成された第２貫通孔と、他方に形成された第２雌ねじ部と、前記第２貫通孔に挿通され、前記第２雌ねじ部に螺合される締結部材とを含む、電池モジュール。
【請求項３】
請求項２記載の電池モジュールにおいて、
前記第１貫通孔および前記第２貫通孔の少なくとも一方は、前記角形電池セルの配列方向に長軸を有する第１の長孔である、電池モジュール。
【請求項４】
請求項１に記載の電池モジュールにおいて、
前記第１一体化機構は、前記第１電池ブロックの前記前部側エンドプレートの前記第１連結部と前記第２電池ブロックの前記前部側エンドプレートの前記第１連結部のいずれか一方に一体成形された第１雄ねじ部と、他方に形成された前記第１雄ねじ部を嵌入する第１嵌合孔とを含み、
前記第２一体化機構は、前記第１電池ブロックの前記後部側エンドプレートの前記第２連結部と前記第２電池ブロックの前記後部側エンドプレートの前記第２連結部のいずれか一方に一体成形された第２雄ねじ部と、他方に形成された前記第２雄ねじ部を嵌入する第２嵌合孔とを含む、電池モジュール。
【請求項５】
請求項１に記載の電池モジュールにおいて、
前記第１電池ブロックおよび前記第２電池ブロックは、それぞれ、
前記前部側エンドプレートと前記後部側エンドプレートとの間に配置され、一体成形された第３連結部を有するセクションプレートを、備え、
前記ブロック一体化機構は、前記第１電池ブロックに配列された前記セクションプレートの前記第３連結部と、前記第２電池ブロックに配列された前記セクションプレートの前記第３連結部とを、直接、または仲介部材を介して重合した状態で連結する第３一体化機構をさらに有する、電池モジュール。
【請求項６】
請求項５に記載の電池モジュールにおいて、
前記第３一体化機構は、前記第１電池ブロックに配列された前記セクションプレートの前記第３連結部と前記第２電池ブロックに配列された前記セクションプレートの前記第３連結部のいずれか一方に形成された第２の長孔と、他方に形成された第３雌ねじ部と、前記第２の長孔に挿通され、前記第３雌ねじ部に螺合される締結部材とを含む、電池モジュール。
【請求項７】
請求項１乃至６のいずれか１項に記載の電池モジュールにおいて、さらに、
前記第１電池ブロックおよび前記第２電池ブロックの側方に配置され、相互に連結された第３電池ブロックおよび第４電池ブロックを備え、
前記ブロック一体化機構は、さらに、前記第１電池ブロックと前記第３電池ブロックとを連結し、前記第２電池ブロックと前記第４電池ブロックとを連結する連結機構を含む、電池モジュール。
【請求項８】
請求項７に記載の電池モジュールにおいて、
前記ブロック一体化機構は、前記第１電池ブロックの前記前部側エンドプレートと前記第３電池ブロックの前記前部側エンドプレートとを連結する第４一体化機構と、前記第１電池ブロックの前記後部側エンドプレートと前記第３電池ブロックの前記後部側エンドプレートとを連結する第５一体化機構とを備え、
前記第４一体化機構と前記第５一体化機構の一方は、平板状連結部材を含み、他方は、一対のＬ字状連結部材を含む、電池モジュール。
【請求項９】
請求項８に記載の電池モジュールにおいて、
一対の前記Ｌ字状連結部材は、それぞれ、固定片および取付孔を有する連結片を備え、
前記Ｌ字状連結部材の少なくとも一方の前記連結片の前記取付孔は、前記角形電池セルの配列方向に長軸を有する長孔とされ、
前記一対のＬ字状連結部材の前記各固定片が前記前部側エンドプレートまたは前記後部側エンドプレートの一方に固定され、前記一対のＬ字状連結部材の前記連結片が、直接、または介在部材を介在して重合された状態で前記取付孔に挿通される固定手段により固定されている、電池モジュール。
【請求項１０】
請求項７に記載の電池モジュールにおいて、
前記ブロック一体化機構は、前記第１電池ブロックの前記前部側エンドプレートと前記第３電池ブロックの前記前部側エンドプレートとを連結する第４一体化機構と、前記第１電池ブロックの前記後部側エンドプレートと前記第３電池ブロックの前記後部側エンドプレートとを連結する第５一体化機構とを備え、
前記第４一体化機構は、前記第１電池ブロックの前記前部側エンドプレートおよび前記第３電池ブロックの前記前部側エンドプレートのそれぞれに一体成形された第４連結部を含み、
前記第５一体化機構は、前記第１電池ブロックの前記後部側エンドプレートおよび前記第３電池ブロックの前記後部側エンドプレートのそれぞれに一体成形された第５連結部を含み、
前記第１電池ブロックの前記前部側エンドプレートと前記第３電池ブロックの前記前部側エンドプレートの前記第４連結部の少なくとも一方、または前記第１電池ブロックの前記後部側エンドプレートと前記第３電池ブロックの前記後部側エンドプレートと前記第５連結部の少なくとも一方に、前記角形電池セルの配列方向に長軸を有する長孔が形成されている、電池モジュール。
【発明の詳細な説明】
【技術分野】
【０００１】
本発明は、複数の電池ブロックを備える電池モジュールに関する。
【背景技術】
【０００２】
電池モジュールは、電気自動車やハイブリッド自動車に電源用として搭載され大電流を出力する。
各電池ブロックは、複数の角形電池セルを配列して支持部材に固定し、各角形電池セルの正・負極端子を、バスバー等により相互に電気的に接続する構造を有する。電池モジュールは、このような電池ブロックを上下に積層するかまたは横方向に並列に連結して構成される。
【０００３】
従来、下記の電池モジュール（電池パック）が知られている。
ほぼ直線状に配列された複数の角形電池セルの最前部および最後部のそれぞれにエンドプレートを配置する。角形電池セルの配列方向に延在された断面コ字形状の上部フレーム、および水平支持部および垂直支持部を有する左右一対の側面支持部材により一対のエンドプレートを固定し、電池ブロック（電池モジュール）を構成する。上下に積層された電池ブロック同士を、上部フレームを固定する締結部材により連結し、側方に配置された電池ブロックを、側面支持部材同士を締結する締結部材により連結して電池モジュールを構成する（例えば、特許文献１の図１３参照）。なお、上記において括弧内は特許文献１に記載された部材名である。
【先行技術文献】
【特許文献】
【０００４】
【特許文献１】特開２０１１−１３４７０９号公報
【発明の概要】
【発明が解決しようとする課題】
【０００５】
電池モジュールには、衝撃や振動に対する強度が必要とされるため、支持部材には大きな剛性が必要とされる。従来の電池モジュールでは、角形電池セルの配列方向全長に亘って延在された上部フレームおよび一対の側面支持部材を備えているため、重量が大きくなり、かつ、高価となる。
【課題を解決するための手段】
【０００６】
本発明の電池モジュールは、第１電池ブロックと、第２電池ブロックと、第１電池ブロックと第２電池ブロックとを連結するブロック一体化機構とを備え、第１電池ブロックおよび第２電池ブロックは、それぞれ、電極端子を有し、電極端子が形成された面がほぼ平面状に配列された複数の角形電池セルと、角形電池セルの配列方向の最前部に配置され、本体部に一体成形された第１連結部を有する前部側エンドプレートと、角形電池セルの配列方向の最後部に配置され、本体部に一体成形された第２連結部を有する後部側エンドプレートと、を備え、ブロック一体化機構は、第１電池ブロックの前部側エンドプレートの第１連結部と第２電池ブロックの前部側エンドプレートの第１連結部とを、直接、または仲介部材を介在して重合した状態で連結する第１一体化機構と、第１電池ブロックの後部側エンドプレートの第２連結部と第２電池ブロックの後部側エンドプレートの第２連結部とを、直接、または仲介部材を介在して重合した状態で連結する第２一体化機構とを含む。
【発明の効果】
【０００７】
本発明によれば、重量を軽減することができ、また、安価にすることができる。
【図面の簡単な説明】
【０００８】
【図１】本発明の電池モジュールの一実施の形態を示し、前方斜め上方から観た外観斜視図。
【図２】図１に図示された電池モジュールに外装カバーを取り付けた状態を示す、前方斜め上方から観た外観斜視図。
【図３】図２に図示された電池モジュールの分解斜視図。
【図４】図１に図示された電池モジュールの左側下段の電池ブロックを示し、図４（ａ）は、その裏面側、後方斜め上方からの外観斜視図、図４（ｂ）は、その表面側、後方斜め上方からの外観斜視図。
【図５】図１に図示された電池モジュールの左側上段側の電池ブロックの前方斜め上方からの分解斜視図。
【図６】図１に図示された電池モジュールの右側下段側の電池ブロックの前部側エンドプレートの外観斜視図。
【図７】図１に図示された電池モジュールの右側下段側の電池ブロックの後部側エンドプレートの外観斜視図。
【図８】図１に図示された電池モジュールの右側下段側の電池ブロックのセクションプレートの外観斜視図。
【図９】図１に図示された右側上段側の電池ブロックの前部側エンドプレートの外観斜視図。
【図１０】図１に図示された右側上段側の電池ブロックの後部側エンドプレートの外観斜視図。
【図１１】図１に図示された右側上段側の電池ブロックのセクションプレートの外観斜視図。
【図１２】図１に図示された電池モジュールの右側上下段の電池ブロックを連結した状態を示し、図１２（ａ）は、その表面側、前方斜め上方からの斜視図、図１２（ｂ）は、その裏面側、後方斜め上方からの斜視図。
【図１３】図１２（ａ）に図示された右側上下段の電池ブロックの連結前の状態を示す斜視図。
【図１４】図１に図示された電池モジュールの左側下段側の電池ブロックの前部側エンドプレートの外観斜視図。
【図１５】図１に図示された電池モジュールの左側下段側の電池ブロックの後部側エンドプレートの外観斜視図。
【図１６】図１に図示された電池モジュールの左側下段側の電池ブロックのセクションプレートの外観斜視図。
【図１７】図１に図示された電池モジュールの左側上段側の電池ブロックの前部側エンドプレートの外観斜視図。
【図１８】図１に図示された電池モジュールの左側上段側の電池ブロックの後部側エンドプレートの外観斜視図。
【図１９】図１に図示された電池モジュールの左側上段側の電池ブロックのセクションプレートの外観斜視図。
【図２０】図１に図示された電池モジュールの左側上下段の電池ブロックを連結した状態を示し、図２０（ａ）は、その表面側、前方斜め上方からの斜視図、図２０（ｂ）は、その裏面側、後方斜め上方からの斜視図。
【図２１】図２０（ａ）に図示された左側上下段の電池ブロックの連結前の状態を示す斜視図。
【図２２】図１に図示された電池モジュールの右側上下段の電池ブロックと左側上下段の電池ブロックとを連結した状態を示し、図２２（ａ）は、その前方斜め上方からの斜視図、図２２（ｂ）は、その後方斜め上方からの斜視図。
【図２３】図２３（ａ）は、図２２（ａ）に図示された連結機構の連結前の状態を示す斜視図、図２３（ｂ）は、図２２（ｂ）に図示された連結機構の連結前の状態を示す斜視図。
【図２４】本発明の電池モジュールの実施形態２の外観斜視図であり、図２４（ａ）は、その前方斜め上方から観た斜視図、図２４（ｂ）は、その後方斜め上方から観た斜視図。
【図２５】図２４（ａ）に図示された電池モジュールの右側下段の電池ブロックを示し、図２５（ａ）は、その表面側、前方斜め上方から観た斜視図、図２５（ｂ）は、その裏面側、後方斜め上方から観た斜視図。
【図２６】図２４（ａ）に図示された電池モジュールの左側下段の電池ブロックを示し、図２６（ａ）は、その表面側、前方斜め上方から観た斜視図、図２６（ｂ）は、その裏面側、後方斜め上方から観た斜視図。
【図２７】本発明の電池モジュールの実施形態３の外観斜視図であり、図２７（ａ）は、その前方斜め上方から観た斜視図、図２７（ｂ）は、その後方斜め上方から観た斜視図。
【図２８】図２７（ａ）に図示された電池モジュールの連結前の状態を示し、その前方斜め上方から観た斜視図。
【図２９】図２７（ｂ）に図示された電池モジュールの連結前の状態を示し、その後方斜め上方から観た斜視図。
【図３０】図３０（ａ）は、図２７（ａ）に図示された電池モジュールの右側下段の電池ブロックの前方斜め上方からの斜視図、図３０（ｂ）は、図３０（ａ）に図示された電池ブロックの後方斜め上方からの斜視図。
【図３１】図３１（ａ）は、図２７（ａ）に図示された電池モジュールの右側上段の電池ブロックの前方斜め上方からの斜視図、図３１（ｂ）は、図３１（ａ）に図示された電池ブロックの後方斜め上方からの斜視図。
【図３２】図３２（ａ）は、図２７（ａ）に図示された電池モジュールの左側下段の電池ブロックの前方斜め上方からの斜視図、図３２（ｂ）は、図３２（ａ）に図示された電池ブロックの後方斜め上方からの斜視図。
【図３３】図３３（ａ）は、図２７（ａ）に図示された電池モジュールの左側上段の電池ブロックの前方斜め上方からの斜視図、図３３（ｂ）は、図３３（ａ）に図示された電池ブロックの後方斜め上方からの斜視図。
【発明を実施するための形態】
【０００９】
−実施形態１−
［電池モジュールの全体構造］
以下、電池モジュールの一実施の形態を、図面を参照して説明する。
図１は、本発明の電池モジュールの一実施の形態を示し、前方斜め上方から観た外観斜視図である。図２は、図１に図示された電池モジュールに外装カバーを取り付けた状態を示す、前方斜め上方から観た外観斜視図である。また、図３は、図１に図示された電池モジュールの分解斜視図である。
なお、以下の説明において、前後方向、左右方向および上下方向を図示の通りとする。
図１に図示されるように、電池モジュール１００は、４つの電池ブロック１１０ａ、１１０ｂ、１１０ｃ、１１０ｄおよびベース１０１を備えている。
電池ブロック１１０ａは、右側下段に、電池ブロック１１０ｂは、右側上段に、電池ブロック１１０ｃは、左側下段に、電池ブロック１１０ｄは、左側上段に配置されている。
ベース１０１は、アルミニウム合金等の金属または合成樹脂により形成されている。
【００１０】
電池ブロック１１０ａ、１１０ｃは、ベース１０１上に載置されて、ボルトやねじ等の締結部材によりベース１０１に固定されている。電池ブロック１１０ｂは、電池ブロック１１０ａ上に載置された状態でボルトやねじ等の締結部材により電池ブロック１１０ａに連結されている。電池ブロック１１０ｄは電池ブロック１１０ｃ上に載置された状態でボルトやねじ等の締結部材により電池ブロック１１０ｃに連結されている。電池ブロック１１０ａと電池ブロック１１０ｃ、および電池ブロック１１０ｂと電池ブロック１１０ｄとは、それぞれ、横方向（左右方向）に連結されている。電池ブロック１００ａ〜１００ｄそれぞれの連結機構は後述する。
【００１１】
ベース１０１上に搭載された電池ブロック１１０ａ〜１１０ｄの外側は、一対の側部カバー１０２、前部カバー１０３、後部カバー１０４、上部カバー１０５で覆われる。
前部カバー１０３は、ベース１０１、および電池ブロック１１０ａ〜１１０ｄそれぞれの前面部に締結部材により締結される。後部カバー１０４は、ベース１０１、および電池ブロック１１０ａ〜１１０ｄそれぞれの後面部に締結部材により締結される。上部カバー１０５は電池ブロック１１０ｂ、１１０ｄの上面部に締結部材により締結される。一対の側部カバー１０２は、それぞれ、後述する前部側エンドプレート２１０ａ〜２１０ｄ、セクションプレート３１０ａ〜３１０ｄ、および後部側エンドプレート２２０ａ〜２２０ｄに締結部材により締結される。
【００１２】
電池ブロック１１０ａ〜１１０ｄそれぞれの前面部および後面部には、それぞれ、ＨＶターミナル６１が取り付けられている。電池ブロック１１０ａ〜１１０ｄのＨＶターミナル６１は、電池ブロック１１０ａ〜１１０ｄが電気的に直列に接続されるように、不図示のＨＶケーブルにより接続される。直列に接続されたＨＶターミナル６１のうち、始端側と終端側のＨＶターミナル６１は、不図示のＨＶケーブルにより、ハイブリッド車やプラグインハイブリッド車、電気自動車などの車両のインバータ装置およびＤＣ−ＤＣコンバータ装置に接続されている。これにより、電池モジュール１００は、車両の電気システムの電力供給源として利用される。
【００１３】
［電池ブロックの構造］
電池ブロック１１０ａ〜１１０ｄそれぞれには、冷却プレート４０（図５参照）が取り付けられている。冷却プレート４０の内部には、冷却水が循環する冷却流路（図示せず）が設けられている。電池ブロック１１０ａ、１１０ｂは、冷却プレート４０を左方側に向けて配置され、電池ブロック１１０ｃ、１１０ｄは、冷却プレート４０を右方側に向けて配置される。つまり、電池ブロック１１０ａと電池ブロック１１０ｃとは、冷却プレート４０を対面させて配置され、電池ブロック１１０ｂと電池ブロック１１０ｄとは、冷却プレート４０を対面させて配置される。
【００１４】
電池ブロック１１０ａ〜１１０ｄの冷却プレート４０はゴム製の配設用パイプ６３により、冷却流路が直列状態になるように接続される。電池ブロック１１０ｂ、１１０ｄの冷却プレート４０の冷却流路には接続パイプ４１、４２（図１参照）が接続され、接続パイプ４１、４２は、それぞれ、不図示の熱交換装置に接続されている。従って、熱交換装置から冷媒を供給し、電池ブロック１１０ａ〜１１０ｄの各冷却プレート４０を経由して熱交換装置に戻り、熱交換装置で冷媒を冷却して再び供給されるという循環冷却が行われる。
【００１５】
電池モジュール１００には、電流センサ６５０、コントローラ６６０、サービススイッチ６８０が設けられている。電流センサ６５０は、角形電池セル１０（図５参照）の充放電の電流値を測定する。コントローラ６６０は、各角形電池セル１０の電圧や電流センサ６５０の電流値を監視したり、車両側の制御システムとつないで通信したりする制御を行う。サービススイッチ６８０は、電池モジュール１００を車両に設置する作業時やサービス時などにおいて、安全のために電流遮断を手動によりに操作できるようにするためのものである。
【００１６】
図４は、図１に図示された電池モジュール１００の左側下段側の電池ブロック１１０ｃを示し、図４（ａ）は、その表面側（右側）、後方斜め上方からの外観斜視図、図４（ｂ）は、その裏面側（左側）、後方斜め上方からの外観斜視図である。また、図５は、図１に図示された電池モジュールの左側上段側の電池ブロック１１０ｄの前方斜め上方からの分解斜視図である
なお、電池ブロック１１０ａ〜１１０ｄは、同様な構造を有するが、以下に説明する前部側エンドプレート２１０、後部側エンドプレート２２０およびセクションプレート３１０の各構造は相違する。しかし、以下の構造に関しては、電池ブロック１１０ａ〜１１０ｄは共通であるので、電池ブロック１１０ａ〜１１０ｄ、前部側エンドプレート２１０ａ〜２２０ｄ、後部側エンドプレート２２０ａ〜２２０ｄおよびセクションプレート３１０ａ〜３１０ｄのそれぞれを代表して、適宜、電池ブロック１１０、前部側エンドプレート２１０、後部側エンドプレート２２０およびセクションプレート３１０として説明する。
【００１７】
電池ブロック１１０は、前後方向に配列された複数の角形電池セル１０と、配列された複数の角形電池セル１０を支持する一対のサイドプレート７０と、角形電池セル１０の配列方向の両端のそれぞれに配置された前部側エンドプレート２１０および後部側エンドプレート２２０と、セクションプレート３１０と、冷却プレート４０とを備える。セクションプレート３１０は、前部側エンドプレート２１０と後部側エンドプレート２２０の間に複数（実施形態では２つ）配置されている。
【００１８】
前・後部側エンドプレート２１０、２２０は、それぞれ、固定用ブラケット３０により、一対のサイドプレート７０に固定されている。固定用ブラケット３０は、前・後部側エンドプレート２１０、２２０のそれぞれに締結部材により固定され、さらに、サイドプレート７０の折曲部である規制部７０ａに締結部材により締結される。この構造の詳細は後述する。冷却プレート４０は、締結部材により、各サイドプレート７０およびセクションプレート３１０に締結部材により締結されている。
【００１９】
角形電池セル１０は、例えば、リチウムイオン二次電池である。各角形電池セル１０は、アルミニウム等の金属製部材により形成された電池缶内に不図示の発電ユニットが収容され、非水電解液が注入され、電池缶の開口部を電池蓋１１により封口したものである。電池蓋１１の上下方向における各端部付近には、内部の発電ユニットに接続された正極外部端子１２、負極外部端子１３が、電池蓋１１上に突出して取り付けられている。各角形電池セル１０は、正・負極外部端子１２、１３が形成された電池蓋１１を右側にして、配列方向（前後方向）に沿って、正極外部端子１２、負極外部端子１３が交互に反対側に配置されるように直線状に配列されている。なお、上述したように、電池ブロック１１０ｃ、１１０ｄと、電池ブロック１１０ａ、１１０ｂとは左右を反転して配置されおり、従って、電池ブロック１１０ｃ、１１０ｄの各角形電池セル１０は、正・負極外部端子１２、１３が形成された電池蓋１１を左側に向けて配置される。
【００２０】
各角形電池セル１０の間には、絶縁性部材で形成されたスペーサ２０ａが介装される。また、角形電池セル１０と前部側エンドプレート２１０との間、および角形電池セル１０と後部側エンドプレート２２０との間にはスペーサ２０ｂが介装される。スペーサ２０ａは、前後方向の両側に角形電池セル１０が嵌入される凹部を有し、中間部に隔離壁が形成された枠形状を有している。スペーサ２０ｂは、角形電池セル１０に対面する側のみに角形電池セル１０を嵌入する凹部を有し、反対面側、すなわち、前部側エンドプレート２１０と対面する面または後部側エンドプレート２２０と対面する面は平坦面となっている。前・後部側エンドプレート２１０、２２０、セクションプレート３１０、およびスペーサ２０ａ、２０ｂは、例えば、アルミダイカスト等により形成されるアルミニウム合金、剛性が高い樹脂、または樹脂と鋼板とを一体成形して形成される。
【００２１】
セクションプレート３１０は、前・後部側エンドプレート２１０，２２０間に配列される角形電池セル１０の個数が多くなり、これに伴い全体の重量が大きくなる場合に、サブグループに分離するためのものであり、これにより、電池ブロック１１０が十分な固定強度を有するようにする。従って、前・後部側エンドプレート２１０、２２０間に配列される角形電池セル１０の個数が少なければ、必要とされない。
【００２２】
隣接する角形電池セル１０の正極外部端子１２と負極外部端子１３とは、バスバー８１により電気的に接続される。正極外部端子１２と負極外部端子１３は、ボルトにより形成されている、バスバー８１は、一対の貫通孔８１ａに、それぞれ、正極外部端子１２および負極外部端子１３を挿入し、この状態で、不図示のナットを正極外部端子１２および負極外部端子１３に螺合して固定される。
【００２３】
サイドプレート７０は、複数個配列された角形電池セル１０の上下面に配置される。サイドプレート７０は、金属製または樹脂製の板状部材であり、前後方向の各端部に、ほぼ直角に折曲された規制部７０ａを有する。また、前部側エンドプレート２１０の前面側および後部側エンドプレート２２０の後面側には、固定用ブラケット３０が配置される。電池ブロック１１０の長手方向（前後方向）の長さは、サイドプレート７０の規制部７０ａと固定用ブラケット３０によって規制される。この構造について説明する。
【００２４】
各角形電池セル１０は、それぞれ、スペーサ２０ａ間またはスペーサ２０ａ、２０ｂ間に嵌入されて、スペーサ２０ａ同士が密着された状態で、長手方向（前後方向）に配列される。スペーサ２０ａの所定個数毎に、スペーサ２０ａ間に、セクションプレート３１０が介装される。前部側エンドプレート２１０の前面および後部側エンドプレート２２０の後面には、締結部材９１（図４（ａ）、（ｂ）参照）により固定用ブラケット３０が固定される。
【００２５】
このように配列された角形電池セル１０の上下両側にサイドプレート７０を配置する。
不図示の治具を用いて、角形電池セル１０、セクションプレート３１０および前・後部側エンドプレート２１０、２２０を、角形電池セル１０の長手方向（前後方向）に押圧して、前・後部側エンドプレート２１０、２２０を、サイドプレート７０の規制部７０ａの内側に位置させる。この状態で、締結部材９２（図４（ａ）、（ｂ）参照）を用いて、サイドプレート７０の規制部７０ａを固定用ブラケット３０に固定する。これにより、前・後部側エンドプレート２１０、２２０間に配列された複数の角形電池セル１０は、スペーサ２０ａ、２０ｂに保持された状態でサイドプレート７０の長手方向（前後方向）両端の規制部７０ａ間に固定される。
【００２６】
この状態で、各角形電池セル１０の電池蓋１１と反対側の面である缶底面に冷却プレート４０が取り付けられる。冷却プレート４０と各角形電池セル１０との間には、絶縁性の熱伝導性シート８３が介装される。熱伝導性シート８３と角形電池セル１０との数は同一である。つまり、熱伝導性シート８３と角形電池セル１０とは１：１で配置されている。この構造とすることにより、各角形電池セル１０の缶底面の位置が高さ方向（左右方向）にずれ、缶底面の位置に凸凹があっても、各角形電池セル１０と冷却プレート４０との熱伝導を良好にすることができる。
なお、上述したように、電池ブロック１１０ａ〜１１０ｄにおける前部側エンドプレート２１０ａ〜２１０ｄ、後部側エンドプレート２２０ａ〜２２０ｄおよびセクションプレート３１０ａ〜３１０ｄの各構造は相違する。以下、前部側エンドプレート２１０ａ〜２１０ｄ、後部側エンドプレート２２０ａ〜２２０ｄおよびセクションプレート３１０ａ〜３１０ｄの各構造を、順次、説明する。
【００２７】
［エンドプレートの構造］
図６は、図１に図示された電池モジュール１００の右側下段側の電池ブロック１１０ａの前部側エンドプレート２１０ａの外観斜視図である。図７は、図１に図示された電池モジュール１００の右側下段側の電池ブロック１１０ａの後部側エンドプレート２２０ａの外観斜視図である。
図６に図示されるように、前部側エンドプレート２１０ａは、ほぼ矩形形状のプレート本体部２１１Ａの各コーナーに、連結部２１１ａ〜２１１ｄが一体成形された構造を有する。連結部２１１ａ〜２１１ｄは、それぞれ、プレート本体部２１１Ａより前後方向の長さが大きく、プレート本体部２１１Ａの前面より、前方に突出している。連結部２１１ａ下面から連結部２１１ｂ上面までの上下方向の長さと連結部２１１ｃ下面から連結部２１１ｄ上面までの上下方向の長さとは同一であり、スペーサ２０ａ、２０ｂの上下方向の長さより大きい。連結部２１１ａ、２１１ｂそれぞれには雌ねじ部２１２が形成され、連結部２１１ｃ、２１１ｄそれぞれには雌ねじ部２１３が形成されている。プレート本体部２１１Ａの前面左側部には、複数（実施形態では４つ）の雌ねじ部２１４が形成されている。また、連結部２１１ａ、２１１ｂそれぞれには、左右方向に軸芯を有する雌ねじ部２１５が形成されている。雌ねじ部２１５には、側部カバー１０２を固定するための締結部材が螺合される。
【００２８】
図７に図示されるように、後部側エンドプレート２２０ａは、ほぼ矩形形状のプレート本体部２２１Ａの各コーナーに、連結部２２１ａ〜２２１ｄが一体成形された構造を有する。連結部２２１ａ〜２２１ｄは、それぞれ、プレート本体部２２１Ａより前後方向の長さが大きく、プレート本体部２２１Ａの後面より、後方に突出している。また、連結部２２１ａ下面から連結部２２１ｂ上面までの上下方向の長さと連結部２２１ｃ下面から連結部２２１ｄ上面までの上下方向の長さとは同一であり、前部側エンドプレート２１０ａの連結部２１１ａ下面から連結部２１１ｂ上面までの上下方向の長さと同一である。連結部２２１ａ、２２１ｃそれぞれには雌ねじ部２２２が形成され、連結部２２１ｂ、２２１ｄそれぞれには雌ねじ部２２３が形成されている。連結部２２１ａ、２２１ｂそれぞれの右側面には、雌ねじ部２２６（図４参照）が形成されている。この雌ねじ部２２６には、側部カバー１０２を固定するための締結部材が螺合される。後部側エンドプレート２２０ａのプレート本体部２２１Ａには、複数（実施形態では２つ）の雌ねじ部２２５が形成されている。
【００２９】
図８は、図１に図示された電池モジュール１００の右側下段側の電池ブロック１１０ａのセクションプレート３１０ａの外観斜視図である。
セクションプレート３１０ａは、ほぼ矩形形状のプレート本体部３１１Ａの各コーナーに、連結部３１１ａ〜３１１ｄが一体成形された構造を有する。連結部３１１ａ〜３１１ｄは、それぞれ、プレート本体部３１１Ａから右方向または左方向に突出している。連結部３１１ａ下面から連結部３１１ｂ上面までの上下方向の長さと連結部３１１ｃ下面から連結部３１１ｄ上面までの上下方向の長さは同一であり、前部側エンドプレート２１０ａの連結部２１１ａ下面から連結部２１１ｂ上面までの上下方向の長さと同一である。連結部３１１ａ、３１１ｂそれぞれには、左右方向に軸芯を有る雌ねじ部３１２が形成されている。連結部３１１ｂには上下方向に軸芯を有する雌ねじ部３１３が形成されている。連結部３１１ｃ、３１１ｄそれぞれには雌ねじ部３１５が形成されている。連結部３１１ａ、３１１ｂそれぞれの雌ねじ部３１２には、側部カバー１０２を固定する締結部材が螺合される。
【００３０】
図９は、図１に図示された電池モジュール１００の右側上段側の電池ブロック１１０ｂの前部側エンドプレート２１０ｂの外観斜視図である。図１０は、図１に図示された電池モジュール１００の右側上段側の電池ブロック１１０ｂの後部側エンドプレート２２０ｂの外観斜視図である。
電池ブロック１１０ｂの前部側エンドプレート２１０ｂは、電池ブロック１１０ａの前部側エンドプレート２１０ａとほぼ同様な構造を有している。前部側エンドプレート２１０ｂに形成された連結部２１１ａ〜２１１ｄは、前部側エンドプレート２１０ａに形成された連結部２１１ａ〜２１１ｄとは形状が異なるが、同様な機能を有する。このため、プレート本体部２１１Ａにおける４つの各コーナー部の同一位置に配置されている前部側エンドプレート２１０ｂの各連結部に対し、前部側エンドプレート２１０ａと同一の符号２１１ａ〜２１１ｄを付してある。
前部側エンドプレート２１０ｂには、連結部２１１ａおよび連結部２１１ｃに、前後方向が長軸とされた長孔２１６が形成されている点で前部側エンドプレート２１０ａと相違する。
前部側エンドプレート２１０ｂの他の構成は、前部側エンドプレート２１０ａと同様である。
【００３１】
電池ブロック１１０ｂの後部側エンドプレート２２０ｂは、電池ブロック１１０ａの後部側エンドプレート２２０ａとほぼ同様な構造を有している。後部側エンドプレート２２０ｂに形成された連結部２２１ａ〜２２１ｄは、後部側エンドプレート２２０ａに形成された連結部２２１ａ〜２２１ｄとは形状が異なるが、同様な機能を有する。このため、プレート本体部２２１Ａにおける４つの各コーナー部の同一位置に配置されている後部側エンドプレート２２０ｂの各連結部に対し、後部側エンドプレート２２０ａと同一の符号２２１ａ〜２２１ｄを付してある。
後部側エンドプレート２２０ａの連結部２２１ａ、２２１ｃには、雌ねじ部２２２が形成されている。これに対し、後部側エンドプレート２２０ｂの連結部２２１ａ、２２１ｃには、貫通孔２２４が形成されている点が相違する。
後部側エンドプレート２２０ｂの他の構成は、後部側エンドプレート２２０ａと同様である。
【００３２】
図１１は、図１に図示された電池モジュール１００の右側上段側の電池ブロック１１０ｂのセクションプレート３１０ｂの外観斜視図である。
電池ブロック１１０ｂのセクションプレート３１０ｂは、電池ブロック１１０ａのセクションプレート３１０ａとほぼ同様な構造を有している。
セクションプレート３１０ｂに形成された連結部３１１ａ〜３１１ｄは、セクションプレート３１０ａに形成された連結部３１１ａ〜３１１ｄとほぼ同様な構造を有する。このため、プレート本体部３１１Ａにおける４つの各コーナー部の同一位置に配置されているセクションプレート３１０ｂの各連結部に対し、セクションプレート３１０ａと同一の符号３１１ａ〜３１１ｄを付してある。
セクションプレート３１０ａの連結部３１１ａおよび連結部３１１ｃには、雌ねじ部３１５が形成されている。これに対し、セクションプレート３１０ｂの連結部３１１ａおよび連結部３１１ｃには、前後方向が長軸とされた長孔３１６が形成されている。
セクションプレート３１０ｂの他の構成は、セクションプレート３１０ａと同様である。
【００３３】
［電池ブロックの積層構造］
電池ブロック１１０ａと電池ブロック１１０ｂとを上下方向に積層して連結する構造および方法を説明する。
図１２は、図１に図示された電池モジュール１００の右側上下段の電池ブロック１１０ａ、１１０ｂを連結した状態を示し、図１２（ａ）は、その表面側、前方斜め上方からの斜視図であり、図１２（ｂ）は、その裏面側、後方斜め上方からの斜視図である。図１３は、図１２（ａ）に図示された右側上下段の電池ブロック１１０ａ、１１０ｂの連結前の状態を示す斜視図である。
電池ブロック１１０ｂを、電池ブロック１１０ａ上に載置する。これには、電池ブロック１１０ｂの前部側エンドプレート２１０ｂおよび後部側エンドプレート２２０ｂを、それぞれ、電池ブロック１１０ａの前部側エンドプレート２１０ａおよび後部側エンドプレート２２０ａ上に載置する。この状態では、前部側エンドプレート２１０ｂおよび後部側エンドプレート２２０ｂの下面は、それぞれ、前部側エンドプレート２１０ａおよび後部側エンドプレート２２０ａの上面に当接している。また、各セクションプレート３１０ｂの下面は、セクションプレート３１０ａの上面に当接している。
【００３４】
そして、電池ブロック１１０ｂの前部側エンドプレート２１０ｂを電池ブロック１１０ａの前部側エンドプレート２１０ａに、また、電池ブロック１１０ｂの後部側エンドプレート２２０ｂを電池ブロック１１０ａの後部側エンドプレート２２０ａに、それぞれ、前後方向および左右方向に一致するよう位置合せを行う。次に、図１３に図示されるように、締結部材により、後部側エンドプレート２２０ｂと後部側エンドプレート２２０ａとを固定し、セクションプレート３１０ｂとセクションプレート３１０ａとを固定し、前部側エンドプレート２１０ｂと前部側エンドプレート２１０ａとを固定する。
【００３５】
後部側エンドプレート２２０ｂと後部側エンドプレート２２０ａとは、後部側エンドプレート２２０ｂの連結部２２１ａ、２２１ｃそれぞれの貫通孔２２４に締結部材を挿通し、締結部材を後部側エンドプレート２２０ａの連結部２２１ｂ、２２１ｄの雌ねじ部２２３に螺合することにより固定する。
【００３６】
セクションプレート３１０ｂとセクションプレート３１０ａとは、セクションプレート３１０ｂの連結部３１１ａ、３１１ｃそれぞれの長孔３１６に締結部材を挿通し、締結部材をセクションプレート３１０ａの連結部３１１ｂ、３１１ｄの雌ねじ部３１３、３１５に螺合することにより固定する。セクションプレート３１０ｂの連結部３１１ａ、３１１ｃそれぞれに形成された貫通孔は、前後方向に長軸を有する長孔３１６とされている。このため、セクションプレート３１０ａと、セクションプレート３１０ｂとの前後方向の位置ずれを長孔３１６によって吸収することができる。
【００３７】
前部側エンドプレート２１０ｂと前部側エンドプレート２１０ａとは、前部側エンドプレート２１０ｂの連結部２１１ａ、２１１ｃそれぞれの長孔２１６に締結部材を挿通し、締結部材を前部側エンドプレート２１０ａの連結部２１１ｂ、２１１ｄの雌ねじ部２１２、２１３に螺合することにより固定する。前部側エンドプレート２１０ｂの連結部２１１ａ、２１１ｃそれぞれに形成された貫通孔は、前後方向に長軸を有する長孔２１６とされている。このため、後部側エンドプレート２２０ａから前部側エンドプレート２１０ａまでの前後方向の長さと、後部側エンドプレート２２０ｂから前部側エンドプレート２１０ｂまでの前後方向の長さとのずれを長孔２１６によって吸収することができる。
【００３８】
電池ブロック１１０ａは、ベース１０１に固定される。電池ブロック１１０ａは、ベース１０１に形成された貫通孔（図示せず）に締結部材を挿通し、この締結部材を電池ブロック１１０ａの前・後部側エンドプレート２１０ａ、２２０ａの雌ねじ部２１２、２１３、２２２および各セクションプレート３１０ａの雌ねじ部３１５に螺合することによりベース１０１に固定される。電池ブロック１１０ａのベース１０１への取付けは、電池ブロック１１０ａと電池ブロック１１０ｂとを上下方向に連結する前に行うことが好ましいが、電池ブロック１１０ａと電池ブロック１１０ｂとを連結した後でもよい。
【００３９】
電池ブロック１１０ｃと電池ブロック１１０ｄとを上下方向に積層して連結する構造を説明する。
図１４は、図１に図示された電池モジュール１００の左側下段側の電池ブロック１１０ｃの前部側エンドプレート２１０ｃの外観斜視図であり、図１５は、図１に図示された電池モジュール１００の左側下段側の電池ブロック１１０ｃの後部側エンドプレート２２０ｃの外観斜視図である。図１６は、図１に図示された電池モジュール１００の左側下段側の電池ブロック１１０ｃのセクションプレート３１０ｃの外観斜視図である。
【００４０】
電池ブロック１１０ｃの前部側エンドプレート２１０ｃは、電池ブロック１１０ａの前部側エンドプレート２１０ａとほぼ同様な構造を有している。つまり、前部側エンドプレート２１０ｃに形成された連結部２１１ａ〜２１１ｄは、前部側エンドプレート２１０ａに形成された連結部２１１ａ〜２１１ｄとほぼ同様な構造である。従って、前部側エンドプレート２１０ｂについては、前部側エンドプレート２１０ａと対応する構成に同一の符号を付して説明を省略する。但し、上述したように、電池ブロック１１０ｃ、１１０ｄは、電池ブロック１１０ａ、１１０ｂとは、左右反転して配置される。従って、図１４に図示された前部側エンドプレート２１０ｃは、図６に図示された前部側エンドプレート２１０ａとは左右反転した構造を有する。
【００４１】
電池ブロック１１０ｃの後部側エンドプレート２２０ｃは、電池ブロック１１０ａの後部側エンドプレート２２０ａとほぼ同様な構造を有している。後部側エンドプレート２２０ｃに形成された連結部２２１ａ〜２２１ｄは、後部側エンドプレート２２０ａに形成された連結部２１１ａ〜２１１ｄとほぼ同様である。従って、後部側エンドプレート２２０ｃについては、後部側エンドプレート２２０ａと対応する構成に同一の符号を付して説明を省略する。但し、図１５に図示された後部側エンドプレート２２０ｃは、図７に図示された後部側エンドプレート２２０ａとは左右反転した構造を有する。
【００４２】
図１６に図示されたセクションプレート３１０ｃは、図８に図示されたセクションプレート３１０ａと左右反転した構造を有する。また、セクションプレート３１０ｃは、右下および右上に形成された連結部３１１ｅ、３１１ｆの構造が、セクションプレート３１０ａの連結部３１１ｃ、３１１ｄとは相違する。セクションプレート３１０ａの連結部３１１ｃ、３１１ｄは、それぞれ１つの雌ねじ部３１５が形成された平面視で、ほぼ正方形形状を有している。セクションプレート３１０ｃの連結部３１１ｅ、３１１ｆは、それぞれ２つの雌ねじ部３１５が形成された平面視で、前後方向に長い、ほぼ矩形形状を有している。セクションプレート３１０ｃの他の構成は、セクションプレート３１０ａと同様であり、対応する構成に同一の符号を付して説明を省略する。
【００４３】
図１７は、図１に図示された電池モジュール１００の左側上段側の電池ブロック１１０ｄの前部側エンドプレート２１０ｄの外観斜視図であり、図１８は、図１に図示された電池モジュール１００の左側上段側の電池ブロック１１０ｄの後部側エンドプレート２２０ｄの外観斜視図である。図１９は、図１に図示された電池モジュール１００の左側上段側の電池ブロック１１０ｄのセクションプレート３１０ｄの外観斜視図である。
【００４４】
図１７に図示された電池ブロック１１０ｄの前部側エンドプレート２１０ｄは、図９に図示された電池ブロック１１０ｂの前部側エンドプレート２１０ｂとほぼ同様な構造を有している。つまり、前部側エンドプレート２１０ｄに形成された連結部２１１ａ〜２１１ｄは、前部側エンドプレート２１０ｂに形成された連結部２１１ａ〜２１１ｄとは、ほぼ同様な構造を有する。従って、前部側エンドプレート２１０ｄについては、前部側エンドプレート２１０ｂと対応する構成に同一の符号を付して説明を省略する。但し、図１７に図示された前部側エンドプレート２１０ｄは、図９に図示された前部側エンドプレート２１０ｂとは左右反転した構造を有する。
【００４５】
図１８に図示された電池ブロック１１０ｄの後部側エンドプレート２２０ｄは、図１０に図示された電池ブロック１１０ｂの後部側エンドプレート２２０ｂとほぼ同様な構造を有している。つまり、後部側エンドプレート２２０ｄに形成された連結部２２１ａ〜２２１ｄは、後部側エンドプレート２２０ｂに形成された連結部２２１ａ〜２２１ｄとほぼ同様な構造である。従って、後部側エンドプレート２２０ｄについては、後部側エンドプレート２２０ｂと対応する構成に同一の符号を付して説明を省略する。但し、図１８に図示された後部側エンドプレート２２０ｄは、図１０に図示された後部側エンドプレート２２０ｂとは左右反転した構造を有する。
【００４６】
図１９に図示されたセクションプレート３１０ｄは、図１１に図示されたセクションプレート３１０ｂと左右反転した構造を有する。また、セクションプレート３１０ｄは、連結部３１１ｅ、３１１ｆの構造が、セクションプレート３１０ｂの連結部３１１ｃ、３１１ｄとは相違する。セクションプレート３１０ｂの連結部３１１ｃ、３１１ｄは、平面視で、ほぼ正方形形状を有しており、それぞれ１つの雌ねじ部３１５、または長孔３１６が形成されている。これに対し、セクションプレート３１０ｄの連結部３１１ｅ、３１１ｆは、平面視で、前後方向に長い、ほぼ矩形形状を有しており、連結部３１１ｅには２つの長孔３１６が形成され、連結部３１１ｆには２つの雌ねじ部３１５が形成されている。各長孔３１６は、前後方向に長軸を有する。また、図１６に図示されたセクションプレート３１０ｃと対比すると、セクションプレート３１０ｃの連結部３１１ｅでは雌ねじ部３１５が形成されているが、セクションプレート３１０ｄの連結部３１１ｅでは長孔３１６が形成されている。セクションプレート３１０ｄの他の構成は、セクションプレート３１０ｃと同様であり、対応する構成に同一の符号を付して説明を省略する。
なお、前・後部側エンドプレート２１０ａ〜２１０ｄ、２２０ａ〜２２０ｄ、セクションプレート３１０ａ〜３１０ｄには、複数の中空部や凹部が形成されているが、これらは、鋳造や射出成形時のヒケ防止のためである。
【００４７】
図２０は、図１に図示された電池モジュール１００の左側上下段の電池ブロック１１０ｃ、１１０ｄを連結した状態を示し、図２０（ａ）は、その表面側（右側）、前方斜め上方からの斜視図であり、図２０（ｂ）は、その裏面側（左側）、後方斜め上方からの斜視図である。図２１は、図２０（ａ）に図示された左側上下段の電池ブロック１１０ｃ、１１０ｄの連結前の状態を示す斜視図である。
電池ブロック１１０ｃと電池ブロック１１０ｄとを上下方向に積層して連結する構造および方法を説明する。
電池ブロック１１０ｄを、電池ブロック１１０ｂ上に載置する。これには、電池ブロック１１０ｄの前部側エンドプレート２１０ｄおよび後部側エンドプレート２２０ｄを、それぞれ、電池ブロック１１０ｃの前部側エンドプレート２１０ｃおよび後部側エンドプレート２２０ｃ上に載置する。この状態では、前部側エンドプレート２１０ｄおよび後部側エンドプレート２２０ｄの下面は、それぞれ、前部側エンドプレート２１０ｃおよび後部側エンドプレート２２０ｃの上面に当接している。また、各セクションプレート３１０ｄの下面は、セクションプレート３１０ｃの上面に当接している。
【００４８】
そして、電池ブロック１１０ｄの前部側エンドプレート２１０ｄを電池ブロック１１０ｃの前部側エンドプレート２１０ｃに、また、電池ブロック１１０ｄの後部側エンドプレート２２０ｄを電池ブロック１１０ｃの後部側エンドプレート２２０ｃに、それぞれ、前後方向および左右方向に一致するよう位置合せを行う。次に、図２１に図示されるように、締結部材により、後部側エンドプレート２２０ｄと後部側エンドプレート２２０ｃとを固定し、セクションプレート３１０ｄとセクションプレート３１０ｃとを固定し、前部側エンドプレート２１０ｄと前部側エンドプレート２１０ｃとを固定する。
【００４９】
後部側エンドプレート２２０ｄと後部側エンドプレート２２０ｃとは、後部側エンドプレート２２０ｄの連結部２２１ａ、２２１ｃそれぞれの貫通孔２２４に締結部材を挿通し、締結部材を後部側エンドプレート２２０ｃの連結部２２１ｂ、２２１ｄの雌ねじ部２２３に螺合することにより固定する。
【００５０】
セクションプレート３１０ｄとセクションプレート３１０ｃとは、セクションプレート３１０ｄの連結部３１１ａ、３１１ｅそれぞれの長孔３１６に締結部材を挿通し、締結部材をセクションプレート３１０ｃの連結部３１１ｂ、３１１ｆの雌ねじ部３１５に螺合することにより固定する。セクションプレート３１０ｄの連結部３１１ａ、３１１ｅそれぞれに形成された貫通孔は、前後方向に長軸を有する長孔３１６とされている。このため、セクションプレート３１０ｃに対するセクションプレート３１０ｄの前後方向の位置ずれを長孔３１６によって吸収することができる。
【００５１】
前部側エンドプレート２１０ｄと前部側エンドプレート２１０ｃとは、前部側エンドプレート２１０ｄの連結部２１１ａ、２１１ｃそれぞれの長孔２１６に締結部材を挿通し、締結部材を前部側エンドプレート２１０ｃの連結部２１１ｂ、２１１ｄの雌ねじ部２１２、２１３に螺合することにより固定する。前部側エンドプレート２１０ｄの連結部２１１ａ、２１１ｃそれぞれに形成された貫通孔は、前後方向に長軸を有する長孔２１６とされている。このため、後部側エンドプレート２２０ｃから前部側エンドプレート２１０ｃまでの前後方向の長さと、後部側エンドプレート２２０ｄから前部側エンドプレート２１０ｄまでの前後方向の長さとのずれを長孔２１６によって吸収することができる。
【００５２】
電池ブロック１１０ｃは、ベース１０１に固定される。電池ブロック１１０ｃは、ベース１０１に形成された貫通孔（図示せず）に締結部材を挿通し、この締結部材を電池ブロック１１０ｃの前・後部側エンドプレート２１０ｃ、２２０ｃの雌ねじ部２１２、２１３、２２２および各セクションプレート３１０ａの雌ねじ部３１５に螺合することによりベース１０１に固定される。電池ブロック１１０ｃのベース１０１への取付けは、電池ブロック１１０ｃと電池ブロック１１０ｄとを上下方向に連結する前に行うことが好ましいが、電池ブロック１１０ｃと電池ブロック１１０ｄとを連結した後でもよい。
【００５３】
［電池ブロックの横方向連結］
図２２は、図１に図示された電池モジュール１００の右側上下段の電池ブロック１１０ａ、１１０ｂと左側上下段の電池ブロック１１０ｃ、１１０ｄとを連結した状態を示し、図２２（ａ）は、その前方斜め上方からの斜視図であり、図２２（ｂ）は、その後方斜め上方からの斜視図である。図２３（ａ）は、図２２（ａ）に図示された連結機構の連結前の状態を示す斜視図であり、図２３（ｂ）は、図２２（ｂ）に図示された連結機構の連結前の状態を示す斜視図である。
電池ブロック１１０ａと電池ブロック１１０ｃとは左右方向（横方向）に連結され、電池ブロック１１０ｂと電池ブロック１１０ｄとは左右方向（横方向）に連結される。以下、この構造について説明する。
【００５４】
電池ブロック１１０ａと電池ブロック１１０ｃとは、前面側において、連結板５１０ａ、５１０ｃにより、電池ブロック１１０ｂと電池ブロック１１０ｄとは連結板５１０ｂ、５１０ｄにより連結される。また、後面側において、連結板５２１ａにより、電池ブロック１１０ａと電池ブロック１１０ｃとが連結され、連結板５２１ｂにより、電池ブロック１１０ｂと電池ブロック１１０ｄとが連結される。
連結板５２１ａと連結板５２１ｂとは同一構造を有し、左右方向の両端に、それぞれ、複数（実施形態では２つ）の貫通孔５２３が形成されている。連結板５２１ａは一端側において、貫通孔５２３内に挿通される締結部材を電池ブロック１１０ａの後部側エンドプレート２２０ａの雌ねじ部２２５（図７参照）に螺合することにより後部側エンドプレート２２０ａに固定される。また、他端側において、貫通孔５２３内に挿通される締結部材を電池ブロック１１０ｃの後部側エンドプレート２２０ｃの雌ねじ部２２５（図１５参照）に螺合することにより後部側エンドプレート２２０ｃに固定される。これにより、電池ブロック１１０ａの後部側エンドプレート２２０ａと電池ブロック１１０ｃの後部側エンドプレート２２０ｃとは、後面側において、連結板５２１ａにより連結される。
【００５５】
この状態において、後部側エンドプレート２２０ａの連結部２２１ｃ、２２１ｄの左側面と後部側エンドプレート２２０ｃの連結部２２１ｃ、２２１ｄの右側面とが、接触または当接するようにしてもよい。
【００５６】
同様に、電池ブロック１１０ｂの後部側エンドプレート２２０ｂと電池ブロック１１０ｄの後部側エンドプレート２２０ｄとは、後面側において、連結板５２１ｂにより連結される。この状態で、後部側エンドプレート２２０ｂの連結部２２１ｃ、２２１ｄの左側面と後部側エンドプレート２２０ｄの連結部２２１ｃ、２２１ｄの右側面とが、接触または当接するようにしてもよい。
【００５７】
連結板５１０ａ〜５１０ｄは、同一構造を有する部材であり、それぞれ、固定片５１１と、固定片５１１にほぼ垂直に折曲された連結片５１２とを備えた、ほぼＬ字形状を有する。各固定片５１１には、複数の（実施形態では２つ）の貫通孔５１１ａが形成されている。各連結板５１０ａ、５１０ｂの連結片５１２には、複数（実施形態では２つ）の長孔５１２ａが形成されている。各長孔５１２ａは、前後方向に長軸を有する。各連結板５１０ｃ、５１０ｄの連結片５１２には、長孔５１２ａに対向する位置に複数（実施形態では２つ）のねじ孔５１２ｂが形成されている。連結板５１０ａ〜５１０ｄの固定片５１１は、それぞれ、前部側エンドプレート２１０ａ〜２１０ｄに固定される。連結板５１０ａ〜５１０ｄの固定は、それぞれ、締結部材を各貫通孔５１１ａに挿通して、前部側エンドプレート２１０ａ〜２１０ｄの雌ねじ部２１４に螺合することによりなされる。連結板５１０ａと連結板５１０ｃとは、締結部材を長孔５１２ａ内を挿通してねじ孔５１２に螺合することにより連結される。同様に、連結板５１０ｂと連結板５１０ｄとは、締結部材を長孔５１２ａ内を挿通してねじ孔５１２に螺合することにより連結される。
【００５８】
前部側エンドプレート２１０ａ〜２１０ｄには、それぞれ、４つの雌ねじ部２１４が形成されており、連結板５１０ａ〜５１０ｄの固定には、適切な位置の２つの雌ねじ部２１４を選択することができる。
締結部材の長孔５１２ａからの抜け止めは、他端側にナットを螺合したり、他端側をかしめたりして行うことができる。
このようにして、電池ブロック１１０ａの前部側エンドプレート２１０ａと電池ブロック１１０ｃの前部側エンドプレート２１０ｃとは、前面側において、連結板５１０ａ、５１０ｃにより連結される。また、電池ブロック１１０ｂの前部側エンドプレート２１０ｂと電池ブロック１１０ｄの前部側エンドプレート２１０ｄとは、前面側において、連結板５１０ｂ、５１０ｄにより連結される。
【００５９】
この状態で、前部側エンドプレート２１０ａの連結部２２１ｃ、２２１ｄの左側面と前部側エンドプレート２１０ｃの連結部２１１ｃ、２１１ｄの右側面とが、接触または当接するようにしてもよい。また、前部側エンドプレート２１０ｂの連結部２１１ｃ、２１１ｄの左側面と前部側エンドプレート２１０ｄの連結部２１１ｃ、２１１ｄの右側面とが、接触または当接するようにしてもよい。
【００６０】
連結板５１０ａ〜５１０ｄには、長孔５１２ａが形成されているので、電池ブロック１１０ａと電池ブロック１１０ｃとの前後方向の長さの差を長孔５１２ａにより吸収することができる。つまり、電池ブロック１１０ａの前部側エンドプレート２１０ａの前面から後部側エンドプレート２２０ａの後面まで長さと、電池ブロック１１０ｃの前部側エンドプレート２１０ｃの前面から後部側エンドプレート２２０ｃの後面まで長さとの差を、連結板５１０ａと連結板５１０ｃに形成された長孔５１２ａにより吸収することが可能である。同様に、電池ブロック１１０ｂと電池ブロック１１０ｄとの前後方向の長さの差を、連結板５１０ｂと連結板５１０ｄにより形成された長孔５１２ａにより吸収することができる。
なお、連結板５１０ｃ、５１０ｄのねじ孔５１２ｂも長孔としてもよい。この場合には、締結部材としてボルトとナットを用いたり、ピンを長孔に挿通してかしめたりして、連結板５１０ａと連結板５１０ｃ、または連結板５１０ｂと連結板５１０ｄとを連結する。
【００６１】
上記本発明の電池モジュールの一実施の形態によれば、下記の効果を奏する。
（１）一方の電池ブロック１００ｂ、１００ｄの前部側エンドプレート２１０ｂ、２１０ｄおよび後部側エンドプレート２２０ｂ、２２０ｄの下面を、それぞれ、他方の電池ブロック１００ａ、１００ｃの前部側エンドプレート２１０ａ、２１０ｃおよび後部側エンドプレート２２０ａ、２２０ｃの上面に搭載した。この状態で、締結部材により、前部側エンドプレート２１０ｂ、２１０ｄを前部側エンドプレート２１０ａ、２１０ｃに固定すると共に、後部側エンドプレート２２０ｂを後部側エンドプレート２２０ａに固定した。前部側エンドプレート２１０ａ〜２１０ｄおよび後部側エンドプレート２２０ａ〜２２０ｄは、角形電池セル１０の配列方向全長に延在される長さを有する部材ではないので軽量化を図ることができる。また、長さが短いので大きな剛性を必要とされず、かつ、安価にすることができる。
【００６２】
（２）各角形電池セル１０を一対のスペーサ２０ａの各凹部内またはスペーサ２０ａとスペーサ２０ｂの各凹部内に嵌入し、前部側エンドプレート２１０（２１０ａ〜２１０ｄを代表して、適宜、２１０とする。以下、他の部材についても同じ）と後部側エンドプレート２２０とにより挟圧して保持する構造とした。つまり、各角形電池セル１０は、一対のスペーサ２０ａまたはスペーサ２０ａとスペーサ２０ｂとにより保持されている。このため、角形電池セル１０の保持構造の剛性を向上することができる。
【００６３】
（３）前・後部側エンドプレート２１０、２２０間にセクションプレート３１０を配置した。セクションプレート３１０は、上下に積層され、締結部材により連結される。このため、配列される角形電池セル１０の個数が多くなり、これに伴い全体の重量が大きくなった場合でも、角形電池セル１０の保持構造の剛性を確保することができる。
【００６４】
（４）電池ブロック１１０ａ、１１０ｃの前部側エンドプレート２１０ａ、２１０ｃに連結される電池ブロック１１０ｂ、１１０ｄの前部側エンドプレート２１０ｂ、２１０ｄの締結部材挿通用の貫通孔を、前後方向に長軸を有する長孔２１６とした。このため、後部側エンドプレート２２０ａ、２２０ｃから前部側エンドプレート２１０ａ、２１０ｃまでの前後方向の長さと、後部側エンドプレート２２０ｂ、２２０ｄから前部側エンドプレート２１０ｂ、２１０ｄまでの前後方向の長さとのずれを長孔２１６によって吸収することができる。
【００６５】
（５）電池ブロック１１０ａのセクションプレート３１０ａに連結される電池ブロック１１０ｂのセクションプレート３１０ｂの締結部材挿通用の貫通孔を、前後方向に長軸を有する長孔３１６とした。このため、セクションプレート３１０ａに対するセクションプレート３１０ｂの前後方向の位置ずれを長孔３１６によって吸収することができる。
【００６６】
（６）サイドプレート７０の長手方向（前後方向）の両端に規制部７０ａを設け、角形電池セル１０、セクションプレート３１０および前・後部側エンドプレート２１０、２２０をサイドプレート７０の両端の規制部７０ａ間に押圧して固定する構造とした。このため、角形電池セル１０、セクションプレート３１０および前・後部側エンドプレート２１０、２２０の前後方向の長さを、サイドプレート７０の両端の規制部７０ａ間の長さに規制された所定の長さとすることができ、かつ、電池ブロック１１０ａ〜１１０ｄの相互の連結を容易に行うことができる。
【００６７】
（７）前部側エンドプレート２１０ａ、２１０ｃに固定されるＬ字形状の連結板５１０ａ、５１０ｃそれぞれに前後方向に長軸を有する長孔５１２ａを設け、各長孔５１２ａに締結部材を挿通して、電池ブロック１１０ａと電池ブロック１１０ｃとを横方向（左右方向）に連結する構造とした。このため、電池ブロック１１０ａの前部側エンドプレート２１０ａの前面から後部側エンドプレート２２０ａの後面まで長さと、電池ブロック１１０ｃの前部側エンドプレート２１０ｃの前面から後部側エンドプレート２２０ｃの後面まで長さとの差を、連結板５１０ａ、５１０ｃに形成された長孔５１２ａにより吸収することができる。電池ブロック１１０ｂと電池ブロック１１０ｄの横方向の連結についても同様である。
【００６８】
−実施形態２−
図２４〜図２６を参照して本発明の電池モジュールの実施形態２を説明する。
図２４は、本発明の電池モジュール１００の実施形態２の外観斜視図であり、図２４（ａ）は、電池モジュール１００の前方斜め上方から観た斜視図であり、図２４（ｂ）は、電池モジュール１００の後方斜め上方から観た斜視図である。図２５は、図２４（ａ）に図示された電池モジュールの右側下段の電池ブロックを示し、図２５（ａ）は、その表面側、前方斜め上方から観た斜視図であり、図２５（ｂ）は、その裏面側、後方斜め上方から観た斜視図である。図２６は、図２４（ａ）に図示された電池モジュールの左側下段の電池ブロックを示し、図２６（ａ）は、その表面側、前方斜め上方から観た斜視図であり、図２６（ｂ）は、その裏面側、後方斜め上方から観た斜視図である。
実施形態２の電池モジュール１００は、電池ブロック１１０ａと電池ブロック１１０ｂ、および電池ブロック１１０ｃと電池ブロック１１０ｄの連結に、ボルトやねじを用いない構造を有するものである。
【００６９】
図２５に図示されるように、電池ブロック１１０ａの前・後部側エンドプレート２１０ａ、２２０ａには、それぞれボルト部（雄ねじ部）２１７が一体成形されている。前部側エンドプレート２１０ａのボルト部２１７は、連結部２１１ａ〜２１１ｄのうち、上部側の連結部２１１ｂ、２１１ｄに形成されている。電池ブロック１１０ａ上に積層される電池ブロック１１０ｂの前部側エンドプレート２１０ｂの長孔２１６はボルト部２１７を挿通可能に形成されている。
後部側エンドプレート２２０ａのボルト部２１７は、連結部２２１ａ〜２２１ｄのうち、上部側の連結部２２１ｂ、２２１ｄに形成されている。電池ブロック１１０ｂの後部側エンドプレート２２０ｂの貫通孔２２４（嵌合孔）はボルト部２１７を挿通可能に形成されている。
【００７０】
電池ブロック１１０ａの各セクションプレート３１０ａには、それぞれボルト部３１７が一体成形されている。セクションプレート３１０ａのボルト部３１７は、上部側の連結部３１１ｂ、３１１ｄに形成されている。電池ブロック１１０ｂのセクションプレート３１０ｂの長孔３１６はボルト部３１７が挿通可能に形成されている。
【００７１】
同様に、図２６に図示されるように、電池ブロック１１０ｃの前・後部側エンドプレート２１０ｃ、２２０ｃには、それぞれボルト部２１７が一体成形されている。前部側エンドプレート２１０ｃのボルト部２１７は、連結部２１１ａ〜２１１ｄのうち、上部側の連結部２１１ｂ、２１１ｄに形成されている。電池ブロック１１０ｃ上に積層される電池ブロック１１０ｄの前部側エンドプレート２１０ｄの長孔２１６はボルト部２１７を挿通可能に形成されている。
後部側エンドプレート２２０ｃのボルト部２１７は、連結部２２１ａ〜２２１ｄのうち、上部側の連結部２２１ｂ、２２１ｄに形成されている。電池ブロック１１０ｄの後部側エンドプレート２２０ｄの貫通孔２２４はボルト部２１７を挿通可能に形成されている。
【００７２】
電池ブロック１１０ｃの各セクションプレート３１０ｃには、それぞれボルト部３１７が一体成形されている。セクションプレート３１０ｃのボルト部３１７は、連結部３１１ａ〜３１１ｄのうち、上部側の連結部３１１ｂ、３１１ｆに形成されている。電池ブロック１１０ｄのセクションプレート３１０ｄの長孔３１６はボルト部３１７を挿通可能に形成されている。
【００７３】
電池ブロック１１０ａと電池ブロック１１０ｂとは、下記の手順により連結することができる。
電池ブロック１１０ｂを電池ブロック１１０ａ上に配置し、電池ブロック１１０ａのすべてのボルト部２１７、３１７を電池ブロック１１０ｂの長孔２１６、３１６または貫通孔２２４に挿通する。ボルト部２１７、３１７は、それぞれの先端部が、連結部２１１ａ、２１１ｃ、２２１ａ、２２１ｃ、３１１ａ、３１１ｃの上面から突出する長さに形成されている。ボルト部２１７、３１７の先端部にナット９３（図２４（ａ）、（ｂ）参照）を螺合して、電池ブロック１１０ａと電池ブロック１１０ｂとを連結する。
電池ブロック１１０ｃと電池ブロック１１０ｄとの連結も、同様に、行うことができる。
【００７４】
図２４（ａ）、（ｂ）に図示される電池モジュール１００は、実施形態１の電池モジュール１００とは、ボルト部２１７、３１７に螺合されたナット９３を備える点以外は同一である。
実施形態２の電池モジュール１００においても、実施形態１と同様な効果（１）〜（７）を有する。
【００７５】
−実施形態３−
図２７〜図３３を参照して本発明の電池モジュールの実施形態３を説明する。
図２７は、本発明の電池モジュール１００Ａの実施形態３の外観斜視図であり、図２７（ａ）は、その前方斜め上方から観た斜視図であり、図２７（ｂ）は、その後方斜め上方から観た斜視図である。
図２８は、図２７（ａ）に図示された電池モジュール１００Ａの連結前の状態を示し、その前方斜め上方から観た斜視図であり、図２９は、図２７（ｂ）に図示された電池モジュール１００Ａの連結前の状態を示し、その後方斜め上方から観た斜視図である。
図３０（ａ）は、図２７（ａ）に図示された電池モジュール１００Ａの右側下段の電池ブロックの前方斜め上方からの斜視図であり、図３０（ｂ）は、図３０（ａ）に図示された電池ブロック１１０ａの後方斜め上方からの斜視図である。
図３１（ａ）は、図２７（ａ）に図示された電池モジュール１００Ａの右側上段の電池ブロック１１０ｂの前方斜め上方からの斜視図であり、図３１（ｂ）は、図３１（ａ）に図示された電池ブロック１１０ｂの後方斜め上方からの斜視図である。
図３２（ａ）は、図２７（ａ）に図示された電池モジュール１００Ａの左側下段の電池ブロック１１０ｃの前方斜め上方からの斜視図であり、図３２（ｂ）は、図３２（ａ）に図示された電池ブロック１１０ｃの後方斜め上方からの斜視図である。
図３３（ａ）は、図２７（ａ）に図示された電池モジュール１００Ａの左側上段の電池ブロック１００ｄの前方斜め上方からの斜視図であり、図３３（ｂ）は、図３３（ａ）に図示された電池ブロック１００ｂの後方斜め上方からの斜視図である。
【００７６】
実施形態３の電池モジュール１００Ａが実施形態１の電池モジュール１００と相違する点は、電池モジュール１００の連結板５２１ａ、５２１ｂを、電池モジュール１００Ａでは、後部側エンドプレート２２０Ａ〜２２０Ｄに一体成形し、電池モジュール１００の連結板５１０ａ〜５１０ｂを、電池モジュール１００Ａでは、前部側エンドプレート２１０Ａ〜２１０Ｄに一体成形した点である。
図３０（ａ）、（ｂ）に図示されるように、電池ブロック１１０ａの後部側エンドプレート２２０Ａには、左側に連結部２２１ｅが形成され、前部側エンドプレート２１０Ａには、左側に連結部２１１ｅが形成されている。連結部２２１ｅには、左右方向に軸芯を有する複数（実施形態では２つ）の貫通孔５３１が形成されている。連結部２１１ｅには、前後方向に長軸を有する複数（実施形態では２つ）の長孔５４１が形成されている。
【００７７】
図３１（ａ）、（ｂ）に図示されるように、電池ブロック１１０ｂの後部側エンドプレート２２０Ｂには、左側に連結部２２１ｅが形成され、前部側エンドプレート２１０Ｂには、左側に連結部２１１ｅが形成されている。連結部２２１ｅには、左右方向に軸芯を有する複数（実施形態では２つ）の貫通孔５３１が形成されている。連結部２１１ｅには、前後方向に長軸を有する複数（実施形態では２つ）の長孔５４１が形成されている。
【００７８】
図３２（ａ）、（ｂ）に図示されるように、電池ブロック１１０ｃの後部側エンドプレート２２０Ｃには、右側に連結部２２１ｆが形成され、前部側エンドプレート２１０Ｃには、右側に連結部２１１ｆが形成されている。連結部２２１ｆには、左右方向に軸芯を有する複数（実施形態では２つ）の雌ねじ部５３２が形成されている。連結部２１１ｆには、左右方向に軸芯を有する複数（実施形態では２つ）の雌ねじ部５４２が形成されている。
【００７９】
図３３（ａ）、（ｂ）に図示されるように、電池ブロック１１０ｄの後部側エンドプレート２２０Ｄには、右側に連結部２２１ｆが形成され、前部側エンドプレート２１０Ｄには、右側に連結部２１１ｆが形成されている。連結部２２１ｆには、左右方向に軸芯を有する複数（実施形態では２つ）の雌ねじ部５３２が形成されている。連結部２１１ｆには、左右方向に軸芯を有する複数（実施形態では２つ）の雌ねじ部５４２が形成されている。
【００８０】
電池モジュール１００Ａを組み付ける手順を以下に示す。
実施形態１の電池モジュール１００と同様に、電池ブロック１１０ａをベース１０１に固定し、電池ブロック１１０ｂを電池ブロック１１０ａ上に積層して、締結部材により、電池ブロック１１０ｂと電池ブロック１１０ａとを上下方向に固定する。また、電池ブロック１１０ｃをベース１０１に固定し、電池ブロック１１０ｄを電池ブロック１１０ｃ上に積層して、締結部材により、電池ブロック１１０ｄと電池ブロック１１０ｃとを上下方向に固定する。
【００８１】
このように組み付けを行うと、図２９に図示されるように、後部側エンドプレート２２０Ａ、２２０Ｂの連結部２２１ｅの貫通孔５３１は、それぞれ、後部側エンドプレート２２０Ｃ、２２０Ｄの連結部２２１ｆの雌ねじ部５３２に、上下方向および前後方向の位置が一致する。この状態で、締結部材を連結部２２１ｅの貫通孔５３１を挿通して、連結部２２１ｆの雌ねじ部５３２に螺合する。
【００８２】
図２８に図示されるように、電池ブロック１１０ａ、１１０ｂおよび電池ブロック１１０ｃ、１１０ｄを上下方向に固定した状態では、前部側エンドプレート２１０Ａ、２１０Ｂの連結部２１１ｅの長孔５４１は、それぞれ、前部側エンドプレート２１０Ｃ、２１０Ｄの連結部２１１ｆの雌ねじ部５４２に上下方向の位置が一致する。連結部２１１ｅの長孔５４１と、連結部２１１ｆの雌ねじ部５４２の前後方向の位置は、ほぼ一致するが、各電池ブロック１１０ａ〜１１０ｄの前後方向の長さのばらつきにより、多少ずれる。しかし、このずれ分は、前後方向に長く形成されている連結部２１１ｅの長孔５４１により吸収することができる。従って、締結部材を連結部２１１ｅの長孔５４１を挿通して、連結部２１１ｆの雌ねじ部５４２に螺合する。
【００８３】
これにより、電池ブロック１１０ａと電池ブロック１１０ｃとは、前部側において、前部側エンドプレート２１０Ａと前部側エンドプレート２１０Ｃとにより、後部側において、後部側エンドプレート２２０Ａと後部側エンドプレート２２０Ｃとにより、左右方向に連結されて固定される。また、電池ブロック１１０ｂと電池ブロック１１０ｄとは、前部側において、前部側エンドプレート２１０Ｂと前部側エンドプレート２１０Ｄとにより、後部側において、後部側エンドプレート２２０Ｂと後部側エンドプレート２２０Ｄとにより、左右方向に連結されて固定される。
【００８４】
実施形態３においても、実施形態１の効果（１）〜（７）と同様な効果を奏する。
実施形態３において、電池ブロック１１０ａ、１１０ｃの前・後部側エンドプレート２１０Ａ、２１０Ｃ、２２０Ａ、２２０Ｃに、実施形態２に示すボルト部２１７を一体成形してもよい。
【００８５】
上記実施形態において、角形電池セル１０の個数が少ない場合は、セクションプレート３１０ａ〜３１０ｄを用いない構造とすることができる。また、スペーサ２０ａ、２０ｂを省略することもできる。
【００８６】
上記実施形態では、上下の前・後部側エンドプレート２１０および２２０を、直接、当接させて連結する構造として例示した。しかし、上下の前・後部側エンドプレート２１０間および２２０間に仲介部材を介在させて重合させた状態で連結するようにしてもよい。この仲介部材を左右方向に延在し、ねじ孔や貫通孔を設けて左右の電池ブロック１１０を連結する連結板の機能を持たせる構造とすることもできる。
【００８７】
セクションプレート３１０ａ〜３１０ｄも同様であり、上下のセクションプレート３１０間に仲介部材を介在させて連結するようにしてもよい。この仲介部材に、左右の電池ブロック１１０を連結する連結板の機能を持たせる構造とすることもできる。
【００８８】
前・後部側エンドプレート２１０、２２０の上下方向の連結は、一方に貫通孔２２４または長孔２１６、３１６を形成し、他方に雌ねじ部２１２、２１３を形成し、締結部材を貫通孔２２４または長孔２１６、３１６に挿通し、雌ねじ部２１２、２１３に締結する構造として例示した。しかし、前・後部側エンドプレート２１０、２２０の両方に貫通孔を形成し、ボルトまたはねじを一面側から他面側に突出するよう挿通し、他面側でナットによる締結する構造としてもよい。あるいはボルトまたはねじをピンに置換して、ピン挿通側と反対側でピンをかしめる構造としてもよい。
【００８９】
上下に積層される電池ブロック１１０と電池ブロック１２０の前後方向の長さの相違は、前部側エンドプレート２１０ｂ（または２１０ｄ）に、前後方向に長軸を有する長孔２１６を設け、この長孔２１６に挿通される締結部材の位置を前後方向に変位可能とすることで吸収するようにした。この構造において、後部側エンドプレート２２０ａまたは２２０ｂ（２２０ｃまたは２２０ｄ）の一方の雌ねじ部２２３を長孔として、後部側エンドプレート２２０ａまたは２２０ｂ（２２０ｃまたは２２０ｄ）の連結においても、締結部材の位置を前後方向に変位可能にしてもよい。
【００９０】
電池ブロック１１０の左右方向の連結についても同様であり、ボルトまたはねじおよびナットによる締結、あるいはピンによるかしめ等により連結するようにしてもよい。
【００９１】
Ｌ字形状の連結板５１０同士の連結は、締結部材によらず、溶接により接合するようにしてもよい。溶接する構造の場合には、長孔５１２ａは不要である。
【００９２】
上記実施形態では、電池モジュール１００、１００Ａは、電池ブロック１１０ａと電池ブロック１１０ｂ、および電池ブロック１１０ｃと電池ブロック１１０ｄとが、それぞれ、上下方向に配置された姿勢で車両などに装着される構造として例示した。しかし、電池ブロック１１０ａと電池ブロック１１０ｂ、および電池ブロック１１０ｃと電池ブロック１１０ｄとを、横方向（左右方向）に配置した姿勢で車両などに装着するようにしてもよい。
【００９３】
以上説明した実施形態による電池モジュール１００、１００Ａを、他の電動車両、例えばハイブリッド電車などの鉄道車両、バスなどの乗合自動車、トラックなどの貨物自動車、バッテリ式フォークリフトトラックなどの産業車両などの車両用電源装置として利用することもできる。
【００９４】
また、実施形態による電池モジュール１００、１００Ａを、コンピュータシステムやサーバシステムなどに用いられる無停電電源装置、自家用発電設備に用いられる電池ブロックおよび電池モジュールに適用しても構わない。
【００９５】
その他、本発明は、発明の趣旨の範囲内において、種々、変形して適用することが可能であり、要は、第１電池ブロックと、第２電池ブロックと、第１電池ブロックおよび第２電池ブロックを連結する連結機構とを備え、連結機構は、第１、第２の電池ブロックの前部側エンドプレートの連結部同士を、直接、または仲介部材を介在して重合した状態で連結する第１一体化機構と、第１、第２電池ブロックの後部側エンドプレートの連結部同士を、直接、または仲介部材を介在して重合した状態で連結する第２一体化機構とを備えるものであればよい。
【符号の説明】
【００９６】
１０      角形電池セル
２０ａ、２０ｂ      スペーサ
３０      固定用ブラケット
４０      冷却プレート
７０      サイドプレート
７０ａ      規制部
１００、１００Ａ      電池モジュール
１０１      ベース
１１０ａ〜１１０ｄ    電池ブロック
１１０Ａ〜１１０Ｄ    電池ブロック
２１０Ａ〜２１０Ｄ    前部側エンドプレート
２１１Ａ    プレート本体部
２１１ａ〜２１１ｄ    連結部
２１１ｅ、２１１ｆ    連結部
２１２〜２１５      雌ねじ部
２１６      長孔
２１７      ボルト部（雄ねじ部）
２２０Ａ〜２２０Ｄ    後部側エンドプレート
２２０ａ〜２２０ｄ    後部側エンドプレート
２２１Ａ    プレート本体部
２２１ａ〜２２１ｄ    連結部
２２１ｅ、２２１ｆ    連結部
２２２〜２２６      雌ねじ部
３１０ａ〜３１０ｄ    セクションプレート
３１１Ａ    プレート本体部
３１１ａ〜３１１ｆ    連結部
３１２〜３１６      雌ねじ部
３１６      長孔
３１７      ボルト部
５１０ａ〜５１０ｄ    連結板
５２１ａ、５２１ｂ    連結板
５３１      貫通孔
５３２      雌ねじ部
５４１      長孔
５４２      雌ねじ部
【図１】
2016081725.tif 000003
【図２】
2016081725.tif 000004
【図３】
2016081725.tif 000005
【図４】
2016081725.tif 000006
【図５】
2016081725.tif 000007
【図６】
2016081725.tif 000008
【図７】
2016081725.tif 000009
【図８】
2016081725.tif 000010
【図９】
2016081725.tif 000011
【図１０】
2016081725.tif 000012
【図１１】
2016081725.tif 000013
【図１２】
2016081725.tif 000014
【図１３】
2016081725.tif 000015
【図１４】
2016081725.tif 000016
【図１５】
2016081725.tif 000017
【図１６】
2016081725.tif 000018
【図１７】
2016081725.tif 000019
【図１８】
2016081725.tif 000020
【図１９】
2016081725.tif 000021
【図２０】
2016081725.tif 000022
【図２１】
2016081725.tif 000023
【図２２】
2016081725.tif 000024
【図２３】
2016081725.tif 000025
【図２４】
2016081725.tif 000026
【図２５】
2016081725.tif 000027
【図２６】
2016081725.tif 000028
【図２７】
2016081725.tif 000029
【図２８】
2016081725.tif 000030
【図２９】
2016081725.tif 000031
【図３０】
2016081725.tif 000032
【図３１】
2016081725.tif 000033
【図３２】
2016081725.tif 000034
【図３３】
2016081725.tif 000035